(57)【特許請求の範囲】
【請求項１】
作動時に振動する機器の上下をそれぞれ上側防振支持装置及び下側防振支持装置によって壁面に支持するようにした機器支持構造であって、
上記上側防振支持装置は、
上記壁面に固定された上側支持部材と、
上記上側支持部材に、上記壁面に平行且つ水平に延びるように支持された軸部材と、
上記軸部材の軸方向に延びて該軸部材が貫通した貫通孔が形成された上側弾性体と、
上記軸部材と上記機器側とを連結し、該軸部材の軸周りに回動可能な上側連結部材と、を備え、
上記上側支持部材は、それぞれ上記軸部材の軸方向に間隔をおいて上記壁面から上記機器側に向かって突設し且つ上端から下方に延在する切り欠き部が形成された一対の側壁部を備え、
上記軸部材は、その両端部がそれぞれ上記各切り欠き部に嵌ることによって上記両側壁部に該軸部材の軸周りに回動可能に支持され、
上記上側弾性体は、上記軸部材とその軸周りに一体となって回動し、
上記上側連結部材は、上記上側弾性体の外面に巻回する板ばねを有していて、該板ばねが上記軸部材及び上記上側弾性体と一体となって上記軸部材の軸周りに回動することによって、該軸部材の軸周りに回動することを特徴とする機器支持構造。
【発明の詳細な説明】
【技術分野】
【０００１】
本発明は、例えば給湯器等、作動時に振動する機器を壁面に支持する機器支持構造に関し、特に、機器の上下をそれぞれ上側及び下側防振支持装置によって壁面に支持するようにした機器支持構造に関するものである。
【背景技術】
【０００２】
従来より、壁面に支持された機器が壁面から離れる方向に倒れるのを防止し、さらに当該機器が作動時に振動する場合にその振動の壁面への伝達を防止するために、機器の上下をそれぞれ上側及び下側防振支持装置によって壁面に支持する機器支持構造がある。
【０００３】
この種の機器支持構造として、例えば特許文献１には、上固定装置及び下固定装置を備える機器支持構造が開示されている。上固定装置は、壁面に固定された水平方向に延びる平板状の支持体と、機器背面に固定された断面逆Ｌ字形の上固定体本体と、支持体の天面部に鉛直方向に延びるように設けられた弾性体からなる中間部材と、を備え、上固定体本体の上面部の上方からビスを挿通して当該上面部と支持体の天面部とを締結することにより、機器の上部が壁面に支持される。下固定装置も上固定装置と同一の構成を備えていて、下固定体本体の上面部の上方からビスを挿通して当該上面部と支持体の天面部とを締結することにより、機器の下部が壁面に支持される。
【０００４】
また、例えば特許文献２には、壁面に固定された壁面取付板と、機器背面に固定された背板と、背板と壁面取付板とを結合する二以上の支持部材と、背板及び壁面取付板に、それぞれ支持部材を結合するための結合用台座及び弾性体からなる防振部材を備えた防振壁掛装置であって、支持部材は、それぞれ垂直投影面上において機器の重心を通る直線上に配置され、支持部材と取付台座とは、防振部材を介在させて結合され、防振部材は、変形方向が当該重心を通る直線に対して平行になるように台座に配置されていて、機器を鉛直方向に正立させた状態で機器に働く力の釣り合いが取れるように支持部材を台座に結合可能に構成して成る機器支持構造が開示されている。
【先行技術文献】
【特許文献】
【０００５】
【特許文献１】特開２００６−２９２３３１号公報
【特許文献２】特開２００７−３１５４０７号公報
【発明の概要】
【発明が解決しようとする課題】
【０００６】
しかしながら、特許文献１で開示された機器支持構造では、機器を壁面に設置する際に、先ず、機器を持ち上げる等、機器を外部から支持しながら機器と壁面との間に上下固定装置を配して機器を壁面に支持させ、その後、外部からの支持を外して上下固定装置だけで壁面に支持させる。すると、機器は、上下両支持体に上から載る形で支持されているため、機器は壁面から遠ざかる方向にやや倒れ、それに伴って上下の防振部材が撓む。この撓み量が上下で異なると、機器支持構造の防振性能が損なわれてしまう。これを防止するためには、上下の防振部材をそれぞれ同じ撓み量だけ撓ませる必要がある。ところが、そのためには、上下固定装置の固定位置を予め定めて、機器を上下固定装置に同時に固定しなければならず、機器の設置に手間がかかるという問題がある。
【０００７】
また、特許文献２で開示された機器支持構造では、全ての支持部材が機器の重心を通る直線上に配置されて壁面に固定され、そして支持部材と台座との間に介在する防振部材が機器の重心を通る直線方向に伸縮するため、高い防振性能が得られる。しかしながら、この場合、機器を設置する前に機器の重心を求めなければならない。そうすると、例えば機器が給湯器の場合、内部に、燃焼器や配管などの様々な重量を有する器具が複雑な配置で収容されているため、重心を求めるのは容易ではない。このように、特許文献２の機器支持構造においても、機器の設置に手間がかかるという問題がある。
【０００８】
本発明は、かかる点に鑑みてなされたものであり、その課題とするところは、機器の上下をそれぞれ上側及び下側防振支持装置によって壁面に支持するようにした機器支持構造において、機器の設置を容易にすることにある。
【課題を解決するための手段】
【０００９】
第１の発明は、作動時に振動する機器の上下をそれぞれ上側防振支持装置及び下側防振支持装置によって壁面に支持するようにした機器支持構造であって、上記上側防振支持装置は、上記壁面に固定された上側支持部材と、上記上側支持部材に、上記壁面に平行且つ水平に延びるように支持された軸部材と、上記軸部材の軸方向に延びて該軸部材が貫通した貫通孔が形成された上側弾性体と、上記軸部材と上記機器側とを連結し、該軸部材の軸周りに回動可能な上側連結部材と、を備え、上記上側支持部材は、それぞれ上記軸部材の軸方向に間隔をおいて上記壁面から上記機器側に向かって突設し且つ上端から下方に延在する切り欠き部が形成された一対の側壁部を備え、上記軸部材は、その両端部がそれぞれ上記各切り欠き部に嵌ることによって上記両側壁部に該軸部材の軸周りに回動可能に支持され、上記上側弾性体は、上記軸部材とその軸周りに一体となって回動し、上記上側連結部材は、上記上側弾性体の外面に巻回する板ばねを有していて、該板ばねが上記軸部材及び上記上側弾性体と一体となって上記軸部材の軸周りに回動することによって、該軸部材の軸周りに回動することを特徴とするものである。
【００１０】
第１の発明によれば、上側連結部材は、壁面に固定された上側支持部材と機器側とを連結し、且つ、壁面に平行且つ水平に延びる軸部材の軸周りに回動する。従って、機器を上側防振支持装置だけで壁面に支持すると、機器が軸部材の軸周りに回動する。よって、機器を壁面に支持するときは、先ず、上側防振支持装置だけで機器を壁面に支持し、機器が回動して停止した後に、下側防振支持装置で機器の下部を壁面に支持する。このように機器の重心を求める等の作業が不要なため、機器の設置を容易にすることができる。さらに、上側弾性体は、軸部材と同一方向に延びているため、機器が軸部材の軸周りに回動しても撓まない。従って、機器を壁面に支持した状態でも、上側弾性体の防振性能を維持することができる。よって、機器支持構造の防振性能を維持しつつ、機器を壁面に容易に設置することができる。
【００１１】
また、第１の発明によれば、上側支持部材の一対の側壁部に上端から下方に延びる切り欠き部がそれぞれ設けられ、両切り欠き部に軸部材の両端部が嵌め込まれ、さらに、板ばねが、軸部材が貫通した上側弾性体を巻回すると共にこの上側弾性体と機器側とを連結している。従って、機器を上側防振支持装置によって壁面に支持するときは、先ず、板ばねと機器側とを連結すると共に板ばねに上側弾性体及び軸部材を装着する一方、上側支持部材を壁面に固定し、その後に、軸部材を両切り欠き部の上方から引っ掛ける。そうすると、軸部材が両側壁部に支持され、機器が上側防振支持装置で壁面に支持される。このように、軸部材を上側支持部材の上方から引っ掛けるという簡単な作業で上側支持部材と上側連結部材とを連結することができるので、機器を容易に設置することができる。
【００１２】
また、第１の発明によれば、上側連結部材が板ばねを有しているので、地震等により機器が大きく振動した場合でも、板ばねが伸縮することによって機器の振動が壁面に伝達するのを防止することができる。
【発明の効果】
【００１３】
本発明によれば、機器を壁面に支持するときは、先ず、上側防振支持装置だけで機器を壁面に支持し、機器が回動して停止した後に、下側防振支持装置で機器の下部を壁面に支持する。このように、機器の設置に先立って機器の重心を求める等の作業をする必要がない。さらに、上側弾性体は、軸部材と同一方向に延びているため、機器が軸部材の軸周りに回動しても撓まない。従って、機器支持構造の防振性能を維持しつつ、機器を壁面に容易に設置することができる。
【図面の簡単な説明】
【００１４】
【図１】本発明の参考例１に係る機器支持構造を示す図であって、同図（ａ）は、機器を壁面に支持した状態を示す正面図であり、同図（ｂ）は、同状態を示す側面図である。
【図２】参考例１の防振支持装置を示す図であって、同図（ａ）は、上側防振支持装置の側面図であり、同図（ｂ）は、下側防振支持装置の側面図である。
【図３】参考例１の上側支持部材を示す図であって、同図（ａ）は、側面図であり、同図（ｂ）は、正面図である。
【図４】参考例１の筐体上側部材を示す図であって、同図（ａ）は、側面図であり、同図（ｂ）は、正面図である。
【図５】参考例１の上側防振支持装置の主要部の分解斜視図である。
【図６】参考例１の変形例に係る上側防振支持装置の側面図である。
【図７】参考例１の変形例の上側支持部材を示す図であって、同図（ａ）は、側面図であり、同図（ｂ）は、正面図である。
【図８】参考例１の変形例の筐体上側部材を示す図であって、同図（ａ）は、側面図であり、同図（ｂ）は、正面図である。
【図９】参考例１の変形例の上側ゴム弾性体が装着された上側連結部材の斜視図である。
【図１０】実施形態１に係る上側防振支持装置の側面図である。
【図１１】実施形態１の上側支持部材を示す図であって、同図（ａ）は、側面図であり、同図（ｂ）は、正面図である。
【図１２】実施形態１の上側防振支持装置の主要部の分解斜視図である。
【図１３】実施形態１の筐体上側部材を示す図であって、同図（ａ）は、側面図であり、同図（ｂ）は、正面図である。
【図１４】参考例２に係る上側防振支持装置の側面図である。
【図１５】参考例２の上側支持部材及び筐体上側部材を示す図であって、同図（ａ）は、側面図であり、同図（ｂ）は、正面図である。
【図１６】参考例２の上側連結部材を示す図であって、同図（ａ）は、側面図であり、同図（ｂ）は、正面図である。
【発明を実施するための形態】
【００１５】
以下、本発明の実施形態を図面に基づいて詳細に説明する。以下の実施形態では、機器を給湯器として説明する。
【００１６】
（参考例１）
図１は、本参考例の機器支持構造１を示す図であって、同図（ａ）は、給湯器２を壁面３に支持した状態を示す正面図であり、同図（ｂ）は、同状態を示す側面図である。図２は、防振支持装置を示す図であって、同図（ａ）は、上側防振支持装置４の側面図であり、同図（ｂ）は、下側防振支持装置５の側面図である。以下、説明の便宜のため、図１（ａ）の左側を左右方向左側、図１（ａ）の右側を左右方向右側、図１（ｂ），図２の左側を前後方向前側、図１（ｂ），図２の右側を前後方向後側として説明する。なお、「左右方向」とは、壁面３に平行且つ水平な方向をいう。
【００１７】
−機器支持構造−
機器支持構造１は、給湯器２を壁面３に支持するものであって、一対の上側防振支持装置４，４と、１つの下側防振支持装置５と、を備えており、両上側防振支持装置４，４が給湯器２の上部を壁面３に支持し、下側防振支持装置５が給湯器２の下部を壁面３に支持している。給湯器２は、内部で水を加熱し、温水を生成してシャワー等に供給するものであって、直方体状の筐体２０と、筐体２０内に格納された燃焼器や配管（いずれも図示せず）等を備えている。以下、上側及び下側防振支持装置４，５の各構成について詳細に説明する。
【００１８】
≪上側防振支持装置≫
一対の上側防振支持装置４，４は、図１（ａ）に示すように、給湯器２よりも上方においてそれぞれ左右方向に対称に配置されており、互いに同一の構成を備えている。そこで、右側の上側防振支持装置４の構成について図２（ａ）及び図３〜５を参照して説明する。図３は、上側支持部材４１を示す図であって、同図（ａ）は、側面図であり、同図（ｂ）は、正面図である。図４は、筐体上側部材４２を示す図であって、同図（ａ）は、側面図であり、同図（ｂ）は、正面図である。図５は、上側防振支持装置４の主要部の分解斜視図である。
【００１９】
上側防振支持装置４は、図１，図２（ａ）に示すように、壁面３の給湯器２よりも高い位置に固定され、給湯器２の荷重を支えるための上側支持部材４１と、この上側支持部材４１に、左右方向に延びるように支持された壁面側軸部４３１と、筐体２０に固定された筐体上側部材４２と、給湯器２側と壁面側軸部４３１とを連結し、壁面側軸部４３１の軸周りに回動可能な上側連結部材４３と、左右方向に延びて上側連結部材４３の壁面側軸部４３１が貫通した貫通孔４４ａが形成された上側ゴム弾性体４４と、を備えている。
【００２０】
上側支持部材４１は、図３に示すように、断面略Ｌ字状の板部材で構成されており、壁面３に固定された固定部４１１と、固定部４１１から前方に延び、その前方端部に上側ゴム弾性体４４が取り付けられる弾性体取付部４１２と、を備えている。固定部４１１は、矩形板状であって、その厚み方向が前後方向に一致するように壁面３に固定されている。弾性体取付部４１２は、固定部４１１下端から前方に水平に延び、さらに、その前方端部は上方に湾曲し、この湾曲部分の横断面は、中央部が前方に突出した半円形状であって、その内面は、上側ゴム弾性体４４の外面に対応する半円形状を有している。そして、弾性体取付部４１２の先端面と固定部４１１の前面との間には、上側ゴム弾性体４４の外径よりも大きな隙間が設けられている。また、この弾性体取付部４１２の前方端部には、その左右方向中央において先端面から湾曲部分の基部まで延在する矩形状の切り欠き部４１２ａが形成されている。
【００２１】
筐体上側部材４２は、図４に示すように、略矩形状の板部材で構成され、図２（ａ）に示すように筐体２０の背面（以下、筐体背面という）２０ａの上端部において上下方向に延びるように固定された固定部４２１と、この固定部４２１の上方に設けられ、上側連結部材４３と連結する筐体上側連結部４２２と、を備えている。筐体上側連結部４２２は、固定部４２１の上端から上方に延びて前方に湾曲するように形成されており、この湾曲部分の横断面は、中央部が上方に突出した半円形状である。筐体上側連結部４２２の左右方向中央には、図４に示すように、先端面から固定部４２１の上端まで延在する矩形状の切り欠き部４２２ａが形成されている。
【００２２】
上側連結部材４３は、図２（ａ）に示すように、筐体上側部材４２と弾性体取付部４１２との間に配置され、図５に示すように、全体が略Ｈ字状をなし且つ横断面が円形の棒部材で構成されている。上側連結部材４３は、それぞれ左右方向に延びるように配置された壁面側軸部（軸部材）４３１及び筐体側軸部４３２と、上下方向に配置され、両軸部の中央部同士を連結する軸部連結部４３３と、を備えている。壁面側軸部４３１は、その左右方向両端部にそれぞれ上側ゴム弾性体４４，４４が装着され、両上側ゴム弾性体４４，４４が弾性体取付部４１２に嵌合固定されることによって、上側支持部材４１に支持されている。筐体側軸部４３２は、筐体上側連結部４２２の中空部よりも径がやや小さく、筐体上側連結部４２２内に回動可能に取り付けられている。軸部連結部４３３は、その上下方向両端部がそれぞれ壁面側及び筐体側軸部４３１，４３２の各左右方向中央部に溶接されている。この軸部連結部４３３は、その直径が切り欠き部４１２ａ，４２２ａの幅（左右方向の長さ）よりも小さく、両端部がそれぞれ切り欠き部４１２ａ，４２２ａに挿通されていて、両切り欠き部４１２ａ，４２２ａ内をその延長方向に沿って移動可能になっている。
【００２３】
上側ゴム弾性体４４，４４は、図５に示すように、円筒形をなし、切り欠き部４１２ａを挟んで弾性体取付部４１２に左右方向に延びるように嵌合固定されている。そして、上側ゴム弾性体４４，４４の貫通孔４４ａ，４４ａの直径Ｄ２は、壁面側軸部４３１の直径Ｄ１よりも大きいため、壁面側軸部４３１は貫通孔４４ａ，４４ａ内を左右方向に延びる軸周りに回動可能になっている。
【００２４】
≪下側防振支持装置≫
下側防振支持装置５は、図１に示すように、上側防振支持装置４，４の給湯器２側との連結部よりも低く、給湯器２よりも低い位置に配置され、給湯器２の下端部を壁面３に支持している。下側防振支持装置５は、図２（ｂ）に示すように、壁面３における給湯器２よりも低い位置に固定された下側支持部材５１と、筐体背面２０ａの下端部に固定された筐体下側部材５２と、この筐体下側部材５２と下側支持部材５１とを連結する一対の下側連結部材５３，５３と、を備えている。
【００２５】
下側支持部材５１は、上下方向から見てハット状に形成された板部材で構成され、壁面３に固定された左右一対の固定部５１１，５１１と、両固定部５１１，５１１の間において前方に突出し、下側連結部材５３，５３が取り付けられる壁面下側連結部５１２と、を備えている。壁面下側連結部５１２には、一対の締結孔がそれぞれ左右方向に対称に設けられている。
【００２６】
筐体下側部材５２は、矩形状の板部材で構成され、その長手方向が左右方向に一致するように配置され、且つ、その上半分が筐体背面２０ａに固定され、その下半分には一対の締結孔がそれぞれ左右方向に対称に設けられている。
【００２７】
一対の下側連結部材５３，５３は、下側支持部材５１と筐体下側部材５２との間に左右方向に対称に設けられていて、互いに同一の構成を備えている。そこで、右側の下側連結部材５３の構成について説明する。下側連結部材５３は、円柱状の下側ゴム弾性体５３１と、この下側ゴム弾性体５３１の軸方向両端部に一体に設けられた一対のボルト５３２，５３２と、各ボルトにそれぞれ螺合された一対のナット５３３，５３３と、を備えている。下側ゴム弾性体５３１は、給湯器２の上下方向における延在方向に直交し且つ壁面３に直交する直交方向、即ち前後方向に、水平に延びており、ボルト５３２，５３２が下側支持部材５１及び筐体下側部材５２の各締結孔にナット５３３，５３３によってそれぞれ締結されることによって、下側支持部材５１と筐体下側部材５２とを連結している。
【００２８】
−給湯器の設置方法−
次に、一対の上側防振支持装置４，４及び下側防振支持装置５を備えた機器支持構造１による給湯器２の壁面３への設置方法について説明する。
【００２９】
先ず、上側支持部材４１、筐体上側部材４２及び上側連結部材４３を一対ずつと、上側ゴム弾性体４４を４つと、を用意する。次に、筐体上側部材４２，４２を、筐体側軸部４３２，４３２をそれぞれ筐体上側連結部４２２，４２２内に嵌めた状態で、左右方向に間隔を開けて上側連結部材４３，４３とともに筐体背面２０ａに固定する。また、壁面側軸部４３１，４３１の左右方向両端部にそれぞれ上側ゴム弾性体４４，４４，４４，４４を装着する。そして、また、上側支持部材４１，４１を、筐体上側部材４２，４２間と同じ間隔を開けて壁面３にネジ等で固定する。
【００３０】
次に、給湯器２を持ち上げて、壁面側軸部４３１，４３１をそれぞれ上側支持部材４１，４１に上方から引っ掛け、上側ゴム弾性体４４，４４，４４，４４をそれぞれ弾性体取付部４１２，４１２に嵌合固定する。そうすると、上側連結部材４３，４３が壁面側軸部４３１，４３１の軸周りに回動するため、給湯器２が当該軸周りに回動し、その後停止する。
【００３１】
また、下側支持部材５１と、一対の下側連結部材５３，５３と、を用意する。なお、筐体背面２０ａの下端部には、予め筐体下側部材５２を溶接等で固定しておく。
【００３２】
給湯器２が停止したら、下側支持部材５１を壁面３の給湯器２よりも低い位置に固定する。次に、下側支持部材５１と筐体下側部材５２との間の左右に下側ゴム弾性体５３１，５３１を配置し、各両端部をそれぞれ下側支持部材５１及び筐体下側部材５２の各締結孔にボルト締結する。
【００３３】
以上により、給湯器２の上下が一対の上側防振支持装置４，４及び下側防振支持装置５によって壁面３に支持される。
【００３４】
−効果−
以上より、本参考例によれば、給湯器２を壁面３に支持するときは、先ず、一対の上側防振支持装置４，４だけで給湯器２を壁面３に支持し、給湯器２が回動して停止した後に、下側防振支持装置５で給湯器２の下部を壁面３に支持する。このように給湯器２の重心を求める等の作業が不要なため、給湯器２の設置を容易にすることができる。
【００３５】
さらに、本参考例によれば、上側ゴム弾性体４４は、壁面側軸部４３１と同一方向に延びているため、給湯器２が壁面側軸部４３１の軸周りに回動しても撓まない。従って、給湯器２を壁面３に支持した状態でも、上側ゴム弾性体４４の防振性能を維持することができる。
【００３６】
また、本参考例によれば、上側ゴム弾性体４４，４４を弾性体取付部４１２に嵌合固定するという簡単な作業で上側支持部材４１と上側連結部材４３とを連結することができるので、給湯器２を容易に壁面３に設置することができる。
【００３７】
また、本参考例によれば、上側連結部材４３が壁面側軸部４３１を含んでいるので、部品点数を抑制することができる。
【００３８】
（変形例）
本変形例は、上側連結部材を変形したものであって、矩形枠部材で構成された上側連結部材４７を用いたものである。この上側連結部材の変形に伴って、上側防振支持装置の各構成部材を以下のように変形してもよい。上側防振支持装置の変形例について図６〜９を参照して説明する。図６は、上側防振支持装置４の変形例の側面図である。図７は、上側支持部材４５を示す図であって、同図（ａ）は、側面図であり、同図（ｂ）は、正面図である。図８は、筐体上側部材４６を示す図であって、同図（ａ）は、側面図であり、同図（ｂ）は、正面図である。図９は、上側ゴム弾性体４８が装着された上側連結部材４７の斜視図である。
【００３９】
上側支持部材４５及び上側ゴム弾性体４８は、図７，９に示すように、それぞれ上記参考例１の上側支持部材４１及び上側ゴム弾性体４４とほぼ同一であって、上側支持部材４５は、切り欠き部を備えていない点で上側支持部材４１と異なり、上側ゴム弾性体４８は、上側ゴム弾性体４４よりも軸方向長さが長い点で異なる。
【００４０】
筐体上側部材４６は、図８に示すように、略矩形状の板部材で構成され、厚み方向が上下方向に一致するように筐体上面２０ｂに固定された固定部４６１と、上側連結部材４７と連結する筐体上側連結部４６２と、を備えている。筐体上側連結部４６２は、固定部４６１の後端から湾曲し、その横断面は、中央部が上方に突出した半円形状をなしている。
【００４１】
上側連結部材４７は、図６に示すように、筐体上側部材４６と弾性体取付部４５２との間に配置され、図９に示すように、左右方向に延びる上下一対の壁面側軸部（軸部材）４７１及び筐体側軸部４７２と、上下方向に延びる左右一対の軸部連結部４７３，４７３と、で構成されている。壁面側軸部４７１には上側ゴム弾性体４８が装着されており、壁面側軸部４７１は、この上側ゴム弾性体４８を介して上側支持部材４５に連結している。筐体側軸部４７２は、筐体上側連結部４６２の中空部を貫通する。一対の軸部連結部４７３，４７３のうち左側の軸部連結部４７３は、壁面側及び筐体側軸部４７１，４７２の左端部同士を連結し、右側の軸部連結部４７３は、壁面側及び筐体側軸部４７１，４７２の右端部同士を連結している。
【００４２】
本変形例における給湯器２の設置方法について説明すると、先ず、上側支持部材４５、筐体上側部材４６、及び上側ゴム弾性体４８を装着した上側連結部材４７を一対ずつ用意する。次に、筐体上側部材４６，４６を、筐体側軸部材４７２，４７２をそれぞれ筐体上側連結部４６２，４６２内に嵌めた状態で、左右方向に間隔を開けて上側連結部材４７，４７とともに筐体上面２０ｂに固定する。また、上側支持部材４５，４５を、筐体上側部材４６，４６間と同じ間隔を開けて壁面３にネジ等で固定する。
【００４３】
次に、給湯器２を持ち上げて、壁面側軸部４７１，４７１をそれぞれ上側支持部材４５，４５に上方から引っ掛け、上側ゴム弾性体４８，４８をそれぞれ弾性体取付部４５２，４５２に嵌合固定する。最後に、給湯器２が停止した状態で、上記参考例１と同様に下側防振支持装置５で給湯器２の下端部を壁面３に支持する。以上により、給湯器２が壁面３に支持される。
【００４４】
（実施形態１）
本実施形態は、Ｈ字状の上側連結部材４３に代えて板ばね６６を用いる点で参考例１と異なるものである。以下、参考例１と異なる点について図１０〜１３を参照して説明する。図１０は、上側防振支持装置６の側面図である。図１１は、上側支持部材６１を示す図であって、同図（ａ）は、側面図であり、同図（ｂ）は、正面図である。図１２は、上側防振支持装置６の主要部の分解斜視図である。図１３は、筐体上側部材６４を示す図であって、同図（ａ）は、側面図であり、同図（ｂ）は、正面図である。
【００４５】
≪上側防振支持装置≫
上側防振支持装置６は、壁面３の給湯器２よりも高い位置に固定され、給湯器２の荷重を支えるための上側支持部材６１と、この上側支持部材６１に左右方向に延びるように支持された壁面側軸部材（軸部材）６２と、この壁面側軸部材６２が貫通する貫通孔６３ａが形成された上側ゴム弾性体６３と、筐体２０に固定された筐体上側部材６４と、この筐体上側部材６４に左右方向に延びるように取り付けられた筐体側軸部材６５と、壁面側軸部材６２と筐体側軸部材６５とを上側ゴム弾性体６３を介して連結する板ばね６６と、を備えている。
【００４６】
上側支持部材６１は、上下方向から見てコ字状の板部材で構成され、図１１に示すように、壁面３に固定された矩形状の固定壁部６１１と、この固定壁部６１１の左右両端から前方に突設された一対の矩形状の側壁部６１２，６１２と、を備えている。両側壁部６１２，６１２には、それぞれ上端前後方向中央部から下方に所定長さ延び、さらに前方に延びて再び下方に延びる階段状のものであって、下端部が断面半円形に形成された切り欠き部６１２ａ，６１２ａが設けられている。
【００４７】
壁面側軸部材６２は、図１２に示すように、横断面円形の棒部材であって、図１０に示すように、両端部がそれぞれ切り欠き部６１２ａ，６１２ａに嵌め込まれて上側支持部材６１に支持され、左右方向に延びる軸周りに回動可能になっている。
【００４８】
上側ゴム弾性体６３は、図１２に示すように、壁面側軸部材６２よりも短い円筒形であって、図１０に示すように、貫通孔６３ａに壁面側軸部材６２が貫通しており、壁面側軸部材６２と一体となって壁面側軸部材６２の軸周りに回動可能となっている。
【００４９】
筐体上側部材６４は、図１０，図１３に示すように、筐体２０に固定される底壁部６４１と、筐体側軸部材６５を支持する一対の突起部６４２，６４２と、を備えている。底壁部６４１は、矩形状の板部材であって、筐体上面２０ｂの後端部に、長手方向が左右方向に一致するように固定されている。突起部６４２，６４２は、矩形状の板部材であって、底壁部６４１の左右両端から上方に、厚み方向が左右方向に一致するようにそれぞれ突設され、各中央部には、厚み方向に延びる貫通孔６４２ａ，６４２ａがそれぞれ形成されている。
【００５０】
筐体側軸部材６５は、図１０に示すように、横断面円形の棒部材であって、両端部がそれぞれ貫通孔６４２ａ，６４２ａを貫通することによって突起部６４２，６４２に支持され、さらに両端がかしめられている。
【００５１】
板ばね６６は、図１０，図１２に示すように、断面Ｓ字状をなし、壁面側軸部材６２と筐体側軸部材６５との間に配置されている。板ばね６６の上側湾曲部は、断面が四分の三円状をなしていて、上側ゴム弾性体６３に巻回して密着している。このため、板ばね６６は、壁面側軸部材６２と一体となって壁面側軸部材６２の軸周りに回動可能となっている。一方、下側湾曲部は、断面が上側湾曲部の下端から四分の二円状をなし、その下端部が巻かれていて、左右方向に延びる円筒形になっており、この下端部を筐体側軸部材６５が貫通している。この下端部は、その内径が筐体側軸部材６５の径よりも大きく、筐体側軸部材６５の軸周りに回動可能になっている。
【００５２】
−給湯器の設置方法−
次に、一対の上側防振支持装置６，６及び下側防振支持装置５を備えた機器支持構造１による給湯器２の壁面３への設置方法について説明する。
【００５３】
先ず、上側支持部材６１と、壁面側軸部材６２と、上側ゴム弾性体６３と、筐体上側部材６４と、筐体側軸部材６５と、板ばね６６と、を一対ずつ用意する。次に、筐体上側部材６４，６４を、それぞれ筐体上面２０ｂの左右両端部に固定する。次に、板ばね６６を、その下端部が突起部６４２，６４２の間に位置するように配置し、貫通孔６４２ａ，６４２ａ及び板ばね６６の下端部に筐体側軸部材６５を貫通させ、筐体側軸部材６５の両端部をかしめる。この作業を左右両方について行う。また、壁面側軸部材６２，６２を上側ゴム弾性体６３，６３の貫通孔６３ａ，６３ａにそれぞれ貫通させたものを板ばね６６，６６の上側湾曲部に嵌合固定する。更にまた、上側支持部材６１，６１を筐体上側部材６４，６４の間と同じ間隔を開けて壁面３にネジ等で固定する。
【００５４】
次に、給湯器２を持ち上げて、壁面側軸部材６２，６２の両端部をそれぞれ上側支持部材６１，６１の切り欠き部６１２ａ，６１２ａ，６１２ａ，６１２ａに引っ掛ける。そうすると、板ばね６６，６６が壁面側軸部材６２，６２の軸周りに回動するため、給湯器２が当該軸周りに回動し、その後停止する。
【００５５】
最後に、給湯器２が停止した状態で、上記参考例１と同様に下側防振支持装置５で給湯器２の下端部を壁面３に支持する。以上により、給湯器２が壁面３に支持される。
【００５６】
−効果−
以上より、本実施形態によれば、給湯器２を上側防振支持装置６，６で壁面に支持するときは、先ず、板ばね６６，６６と給湯器２とを連結すると共に板ばね６６，６６に上側ゴム弾性体６３，６３及び壁面側軸部材６２，６２を装着する一方、上側支持部材６１，６１を壁面３に固定し、次に、壁面側軸部材６２，６２をそれぞれ切り欠き部６１２ａ，６１２ａ，６１２ａ，６１２ａの上方から引っ掛ける。そうすると、壁面側軸部材６２，６２が両側壁部６１２，６１２，６１２，６１２に支持され、給湯器２が上側防振支持装置６，６で壁面３に支持される。このように、壁面側軸部材６２，６２を上側支持部材６１，６１の上方から引っ掛けるという簡単な作業で上側支持部材６１，６１と板ばね６６，６６とを連結することができるので、給湯器２を容易に設置することができる。
【００５７】
また。本実施形態によれば、切り欠き部６１２ａ，６１２ａの下端部が階段状になっているので、壁面側軸部材６２が切り欠き部６１２ａ，６１２ａから外れるのを防止できる。
【００５８】
また、本実施形態によれば、上側連結部材が板ばね６６，６６で構成されているので、地震等により給湯器２が大きく振動した場合でも、板ばね６６，６６が伸縮することによって給湯器２の振動が壁面３に伝達するのを防止することができる。
【００５９】
（参考例２）
本参考例は、上側連結部材が上側ゴム弾性体も兼ねる点が参考例１及び実施形態１と異なるものである。以下、参考例１と異なる点について図１４〜１６を参照して説明する。図１４は、上側防振支持装置７の側面図である。図１５は、上側支持部材７１及び筐体上側部材７２を示す図であって、同図（ａ）は、側面図であり、同図（ｂ）は、正面図である。図１６は、上側連結部材７３を示す図であって、同図（ａ）は、側面図であり、同図（ｂ）は、正面図である。
【００６０】
≪上側防振支持装置≫
上側防振支持装置７は、図１４に示すように、壁面３の給湯器２よりも高い位置に固定された上側支持部材７１と、給湯器２に固定された給湯器側部材７２と、上側支持部材７１の筐体側脚部（軸部材）７１２ｂと給湯器２側とを連結する上側連結部材７３と、を備えている。
【００６１】
上側支持部材７１は、図１４，図１５に示すように、壁面３に固定された矩形状の板部材で構成された固定板７１１と、この固定板７１１に固定され上側連結部材７３に形成された貫通孔７３ａを貫通するコ字状部材７１２と、を備えている。コ字状部材７１２は、横断面円形の棒部材で構成され、固定板７１１に、前方に水平に延びるように突設されている。コ字状部材７１２は、基部７１２ａと、基部７１２ａの両端部からそれぞれ同一方向に延びる一対の脚部７１２ｂ，７１２ｂと、を備えている。基部７１２ａは、固定板７１１の前面の上下方向中央部から前方に水平に延びている。壁面側脚部７１２ｂは、固定板７１１の前面に左方に水平に延びるように固定されている。筐体側脚部７１２ｂは、基部７１２ａの前方端部から左方に水平に延びており、この筐体側脚部７１２ｂに上側連結部材７３が装着されて壁面３側の軸として機能する。なお、筐体側脚部７１２ｂは、基部７１２ａとの接続部から先端部近傍まで一定の径を有し、先端部近傍で拡径し、その後、先端側に行くに従って縮径している。この拡径した部分によって、装着された上側連結部材７３が脱落するのを防止する。
【００６２】
筐体上側部材７２は、図１５に示すように、上側支持部材７１と同一構成であって、固定板７２１と、軸部材７２２と、を備えており、図１４に示すように、固定板７２１が筐体上面２０ｂの後端部に載置固定されている。そして、壁面側脚部７２２ｂは、その左側端部が基部７２２ａに支持されて右方に延びており、この壁面側脚部７２２ｂに上側連結部材７３が装着されて筐体側の軸として機能する。この脚部７２２ｂの先端部も拡径しており、装着された上側連結部材７３が脱落するのを防止する。
【００６３】
上側連結部材７３は、図１６に示すように、断面が略楕円形の柱状ゴムで構成され、図１４，図１６に示すように、上側支持部材７１と筐体上側部材７２との間に、軸方向が左右方向に一致し且つ長軸方向が上下方向に略一致するように配置されている。そして、上側連結部材７３の上下方向両端部には、左右方向に水平に延びていて、上側支持部材７１の筐体側脚部７１２ａ及び筐体上側部材７２の壁面側脚部７２２ｂのそれぞれの最小径部分よりも径が大きく、それぞれの最大径部分よりも径の小さい上下一対の貫通孔７３ａ，７３ａが形成されている。上側の貫通孔７３ａには、筐体側脚部７１２ｂが貫通し、下側の貫通孔７３ａには、壁面側脚部７２２ｂが貫通している。このように、ゴム製の上側連結部材７３が壁面側の軸である筐体側脚部７１２ｂに装着されていることにより、上側連結部材７３が参考例１及び実施形態１における上側ゴム弾性体４４，６３の機能を兼ねている。また、上側連結部材７３の上下方向中心部には、左右方向に延びる中空部７３ｂが形成されており、この中空部７３ｂは、長軸方向が前後方向に一致する断面楕円形をなしている。そうして、上側連結部材７３に強い振動が入力したときに、この中空部７３ｂが上下方向に伸縮して上側連結部材７３全体が伸縮する。
【００６４】
−給湯器の設置方法−
次に、一対の上側防振支持装置７，７及び下側防振支持装置５を備えた機器支持構造１による給湯器２の壁面３への設置方法について説明する。
【００６５】
先ず、上側支持部材７１と、壁面側軸部材７２と、上側連結部材７３と、を一対ずつ用意する。次に、筐体上側部材７２，７２を、それぞれ筐体上面２０ｂの左右両端部に固定する。そして、壁面側脚部７２２ｂ，７２２ｂをそれぞれ上側連結部材７３，７３の下側の貫通孔７３ａ，７３ａに貫通させて、上側連結部材７３，７３をそれぞれ筐体上側部材７２，７２に装着する。また、上側支持部材７１，７１を筐体上側部材７２，７２間と同じ間隔を開けて壁面３にネジ等で固定する。
【００６６】
次に、給湯器２を持ち上げて、上側連結部材７３，７３の上端部をそれぞれ左右方向内側にずらすように変形させて、上側の貫通孔７３ａ，７３ａにそれぞれ筐体側脚部７１２ｂ，７１２ｂを貫通させ、上側連結部材７３，７３をそれぞれ上側支持部材７１，７１に装着する。そうすると、上側連結部材７３，７３が筐体側脚部７１２ｂ，７１２ｂの軸周りに回動するため、給湯器２が当該軸周りに回動し、その後停止する。
【００６７】
最後に、給湯器２が停止した状態で、上記参考例１と同様に下側防振支持装置５で給湯器２の下端部を壁面３に支持する。以上により、給湯器２が壁面３に支持される。
【００６８】
−効果−
以上より、本参考例によれば、給湯器２を上側防振支持装置７で壁面３に支持するときは、先ず、上側連結部材７３，７３と筐体上側部材７２，７２とを連結する一方、上側支持部材７１，７１を壁面３に固定し、次に、上側連結部材７３，７３に形成された上側の貫通孔７３ａ，７３ａに、上側支持部材７１，７１の筐体側脚部７１２ｂ，７１２ｂを貫通させる。そうすると、上側連結部材７３，７３が上側支持部材７１，７１に支持され、給湯器２が上側防振支持装置７，７で壁面３に支持される。このように、貫通孔７３ａ，７３ａに筐体側脚部７１２ｂ，７１２ｂを貫通させるという簡単な作業で上側支持部材７１，７１と上側連結部材７３，７３とをそれぞれ連結することができるので、給湯器２を容易に壁面３設置することができる。
【００６９】
また、本参考例によれば、上側連結部材７３が上側弾性体を兼ねた弾性体なので、上側連結部材７３を上側弾性体と一体に成形することができ、部品点数を抑制することができる。
【００７０】
また、本参考例によれば、地震等により給湯器２が大きく振動した場合にも、上側連結部材７３の中空部７３ｂが上下方向に伸縮するので、当該振動が壁面３に伝達するのを防止することができる。
【００７１】
（その他の実施形態）
上記参考例及び上記実施形態では、壁に取り付けられる機器として給湯器を例に説明したが、これに限定されず、例えば空調機の室外機でもよい。
【００７２】
また、上記参考例及び上記実施形態では、上側連結部材４３，７３又は板ばね６６が給湯器２側の連結部において左右方向に延びる軸周りに回動したが、これに限定されず、当該軸周りに回動しなくてもよい。
【００７３】
また、上記参考例及び上記実施形態では、給湯器２を壁面３に４点（上側防振支持装置が２点、下側防振支持装置が２点）で支持したが、これに限定されず、少なくとも３点で支持すればよい。
【００７４】
本発明は、実施形態に限定されず、その精神又は主要な特徴から逸脱することなく他の色々な形で実施することができる。
【００７５】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００７６】
以上説明したように、本発明に係る防振支持装置は、機器の上下をそれぞれ上側及び下側防振支持装置によって壁面に支持するようにした機器支持構造において、機器の設置を容易にすることが必要な用途等に適用することができる。
【符号の説明】
【００７７】
１                              機器支持構造
２                              給湯器（機器）
３                              壁面
４，６，７                      上側防振支持装置
５                              下側防振支持装置
４１，４５，６１，７１          上側支持部材
４１１，４５１                  固定部
４１２，４５２                  弾性体取付部
４３，４７，７３                上側連結部材
４３１，４７１                  壁面側軸部（軸部材）
４４，４８，６３                上側ゴム弾性体（上側弾性体）
４４ａ，４８ａ，６３ａ，７３ａ  貫通孔
６１２                          側壁部
６１２ａ                        切り欠き部
６２                            壁面側軸部材（軸部材）
６６                            板ばね（上側連結部材）
７１２ｂ                        筐体側脚部（軸部材）
【図１】
0005763418.tif 000002
【図２】
0005763418.tif 000003
【図３】
0005763418.tif 000004
【図４】
0005763418.tif 000005
【図５】
0005763418.tif 000006
【図６】
0005763418.tif 000007
【図７】
0005763418.tif 000008
【図８】
0005763418.tif 000009
【図９】
0005763418.tif 000010
【図１０】
0005763418.tif 000011
【図１１】
0005763418.tif 000012
【図１２】
0005763418.tif 000013
【図１３】
0005763418.tif 000014
【図１４】
0005763418.tif 000015
【図１５】
0005763418.tif 000016
【図１６】
0005763418.tif 000017